(57)【要約】【課題】受信レベルが低い環境下であっても、ノイズの輻射量を減らし通信品質を向上させる。【解決手段】通信装置３００は、他の装置と通信する通信部３０１と、表示用の画像データを処理する画像処理部３０２と、通信部３０１の通信状態が所定の状態より低下したか否かを判定する判定部３０３と、判定部３０３により通信状態が所定の状態より低下したと判定された場合、画像処理部３０２の少なくとも一部の動作を制限する制限部３０４とを備えている。【選択図】図６
2014130447.tif 000002
【特許請求の範囲】
【請求項１】
他の装置と通信する通信部と、
表示用の画像データを処理する画像処理部と、
前記通信部の通信状態が所定の状態より低下したか否かを判定する判定部と、
前記判定部により前記通信状態が所定の状態より低下したと判定された場合、前記画像処理部の少なくとも一部の動作を制限する制限部と
を備えることを特徴とする通信装置。
【請求項２】
前記制限部は、前記判定部により前記通信状態が所定の状態より低下したと判定された場合、前記画像処理部の動作を停止させる
ことを特徴とする請求項１に記載の通信装置。
【請求項３】
前記制限部は、前記判定部により前記通信状態が所定の状態より低下したと判定された場合、前記画像処理部の動作クロックの周波数を低下させる
ことを特徴とする請求項１に記載の通信装置。
【請求項４】
前記画像処理部は、独立して動作可能な複数のコアを備え、
前記制限部は、前記判定部により前記通信状態が所定の状態より低下したと判定された場合、動作するコア数を制限する
ことを特徴とする請求項１に記載の通信装置。
【請求項５】
前記制限部は、前記判定部により前記通信状態が所定の状態より低下したと判定された場合、前記複数のコアの動作クロックの周波数を低下させる
ことを特徴とする請求項４に記載の通信装置。
【請求項６】
前記制限部は、前記判定部により前記通信状態が所定の状態より低下したと判定された場合、前記画像処理部による処理能力に応じて、前記画像処理部によって処理される処理データ量を減少させる
ことを特徴とする請求項１から５のいずれかに記載の通信装置。
【請求項７】
他の装置と通信するステップと、
表示用の画像データを画像処理するステップと、
前記通信状態が所定の状態より低下したか否かを判定するステップと、
前記通信状態が所定の状態より低下したと判定された場合、前記画像処理の少なくとも一部の機能を制限するステップと
を含むことを特徴とする制御方法。
【請求項８】
コンピュータに、
他の装置と通信する通信機能、
表示用の画像データを処理する画像処理機能、
前記通信機能の通信状態が所定の状態より低下したか否かを判定する判定機能、
前記判定機能により前記通信状態が所定の状態より低下したと判定された場合、前記画像処理機能の少なくとも一部の動作を制限する制限機能
を実行させることを特徴とするプログラム。
【発明の詳細な説明】
【技術分野】
【０００１】
本発明は、通信装置、制御方法、及びプログラムに関する。
【背景技術】
【０００２】
近年、携帯電話においては、ＨＤ（Ｈｉｇｈ  Ｄｅｆｉｎｉｔｉｏｎ）表示、Ｆｕｌｌ  ＨＤ表示など、ディスプレイの解像度向上や、３Ｄ画像の表示などのため、通常のデータ処理や通信の制御を行うＣＰＵ（Ｃｅｎｔｒａｌ  Ｐｒｏｃｅｓｓｉｎｇ  Ｕｎｉｔ）とは別に、画像処理を専用で行うＧＰＵ（Ｇｒａｐｈｉｃｓ  Ｐｒｏｃｅｓｓｉｎｇ  Ｕｎｉｔ）を搭載している。
【０００３】
しかしながら、このような複数のプロセッサを備える携帯電話では、ＧＰＵを搭載することにより画像データに対する処理速度は向上するが、電波の受信レベルが低い環境下では、ＧＰＵが輻射するノイズの影響により通信品質が劣化し、通信が切れやすくなるという問題が発生する。そこで、受信レベルが低下した場合に、ノイズの影響による通信品質の劣化を低減し、通信を切断されにくくする技術がいくつか提案されている。
【０００４】
例えば、特許文献１には、３Ｄテレビ電話に係り、受信品質が基準値以下となると、２つのカメラのうち、少なくとも１つを停止させ、２つの動画像データの少なくとも一方の送信を停止することにより、内部発生するノイズを低減し、通信を切断されにくくする技術が提案されている。
【０００５】
また、特許文献２には、受信信号レベルが低下すると、表示装置に表示する画像、またはカメラで生成する画像の解像度を下げることにより、テレビ電話装置自身の構成要素である表示装置、カメラ、ＣＰＵが発生する高調波による雑音を低減する技術が提案されている。
【０００６】
また、特許文献３には、無線システムの受信レベルが一定値以下になると、処理回路の動作クロックを、受信劣化を低減する最適な動作クロックである任意の周波数に切換える技術が提案されている。
【先行技術文献】
【特許文献】
【０００７】
【特許文献１】特開２０１２−１０５１４２号公報
【特許文献２】特開２０１２−００４９４４号公報
【特許文献３】特開２０１１−０３０１５７号公報
【発明の概要】
【発明が解決しようとする課題】
【０００８】
上述したように、複数のプロセッサを備える携帯電話では、通信を行うときＣＰＵとＧＰＵ両方が輻射するノイズによる影響により電波の受信レベルが低い環境下では通信品質が低下し、通信が切断しやすくなるという問題がある。しかしながら、上述した特許文献１〜３では、通常のデータ処理や通信の制御を行うＣＰＵとは別に、画像処理を専用で行うＧＰＵを考慮していないため、上述した問題を解決することができない。
【０００９】
そこで本発明は、受信レベルが低い環境下であっても、ノイズの輻射量を減らし通信品質を向上させることができる通信装置、制御方法、及びプログラムを提供することを目的とする。
【課題を解決するための手段】
【００１０】
本発明の通信装置は、他の装置と通信する通信部と、表示用の画像データを処理する画像処理部と、前記通信部の通信状態が所定の状態より低下したか否かを判定する判定部と、前記判定部により前記通信状態が所定の状態より低下したと判定された場合、前記画像処理部の少なくとも一部の動作を制限する制限部とを備えることを特徴とする通信装置である。
【００１１】
本発明の画像処理制御方法は、他の装置と通信するステップと、表示用の画像データを画像処理するステップと、前記通信状態が所定の状態より低下したか否かを判定するステップと、前記通信状態が所定の状態より低下したと判定された場合、前記画像処理の少なくとも一部の機能を制限するステップとを含むことを特徴とする制御方法である。
【００１２】
本発明のプログラムは、コンピュータに、他の装置と通信する通信機能、表示用の画像データを処理する画像処理機能、前記通信機能の通信状態が所定の状態より低下したか否かを判定する判定機能、前記判定機能により前記通信状態が所定の状態より低下したと判定された場合、前記画像処理機能の少なくとも一部の動作を制限する制限機能を実行させることを特徴とするプログラムである。
【発明の効果】
【００１３】
この発明によれば、受信レベルが低い環境下であっても、ノイズの輻射量を減らし通信品質を向上させることができる。
【図面の簡単な説明】
【００１４】
【図１】本発明の第１実施形態による携帯電話１００の構成を示すブロック図である。
【図２】本第１実施形態による携帯電話１００の動作を説明するためのフローチャートである。
【図３】本第１実施形態において、受信レベルの変化に応じたＧＰＵ１０４の動作を示すタイムチャートである。
【図４】本第２実施形態の携帯電話２００の構成を示すブロック図である。
【図５】本第２実施形態において、受信レベルの変化に応じたコア＃１、＃２の動作を示すタイムチャートである。
【図６】付記１の構成を示すブロック図である。
【発明を実施するための形態】
【００１５】
以下、本発明の実施の形態を、図面を参照して説明する。
【００１６】
図１は、本発明の第１実施形態による携帯電話１００の構成を示すブロック図である。図１において、携帯電話１００は、アンテナ１０１、無線回路１０２、ＣＰＵ１０３、ＧＰＵ１０４、及び表示装置１０５を備えている。アンテナ１０１は、電波の送受信を行う。無線回路１０２は、受信波の復調や送信波の生成を行う。ＣＰＵ１０３は、無線回路１０２の動作や、ＧＰＵ１０４の動作、あるいはＧＰＵ１０４が動作していないときの表示装置１０５の動作などを制御する。特に、本第１実施形態では、ＣＰＵ１０３は、無線回路１０２による受信レベルが閾値ＴＨより大である場合には、ＧＰＵ１０４をオン状態とし、受信レベルが閾値ＴＨ以下になると、ＧＰＵ１０４をオフ状態として停止させる。ここで、受信レベルとは、例えば、ＲＳＣＰ（Ｒｅｃｅｉｖｅｄ  Ｓｉｇｎａｌ  Ｃｏｄｅ  Ｐｏｗｅｒ）、あるいはＲＳＳＩ（Ｒｅｃｅｉｖｅｄ  Ｓｉｇｎａｌ  Ｓｔｒｅｎｇｔｈ  Ｉｎｄｉｃａｔｏｒ）のことである。
【００１７】
ＧＰＵ１０４は、画像処理専用のプロセッサであり、ＣＰＵ１０３の制御に従って、オン状態、またはオフ状態となる。ＧＰＵ１０４は、オン状態のとき、表示装置１０５に表示すべき画像に対する画像処理を実行する。表示装置１０５は、無線回路１０２の受信レベルが閾値ＴＨより大である場合には、ＧＰＵ１０４によって処理される画像を表示し、無線回路１０２の受信レベルが閾値ＴＨ以下の場合には、ＣＰＵ１０３によって処理される画像を表示する。ＧＰＵ１０４によって制御されているときは、画像データに対する処理速度が速いため、表示装置１０５は、解像度やフレームレートが高い表示や、３Ｄ表示などの高度な表示を行う。一方、ＣＰＵ１０３によって動作を制御されているときは、画像データに対する処理速度が落ちるため、表示装置１０５は、解像度やフレームレートが低い表示や、少なくとも一部の３Ｄ表示を止めるなど制限された表示を行う。
【００１８】
次に、上述した第１実施形態の動作について説明する。
図２は、本第１実施形態による携帯電話１００の動作を説明するためのフローチャートである。まず、ＣＰＵ１０３は、ＧＰＵ１０４をオン状態とし（ステップＳ１０）、双方が動作している状態とする。次に、ＣＰＵ１０３は、無線回路１０２の受信レベルが閾値ＴＨ以下であるか否かを判定する（ステップＳ１２）。そして、受信レベルが閾値ＴＨ以下でない場合には（ステップＳ１２のＮＯ）、ＣＰＵ１０３は、ＧＰＵ１０４のオン状態を維持する（ステップＳ１４）。その後、ステップＳ１２に戻り、ＣＰＵ１０３は、上述した処理を繰り返す。このように、無線回路１０２の受信レベルが閾値ＴＨ以下でなければ、ＧＰＵ１０４が表示装置１０５の動作を制御する。すなわち、表示装置１０５では、画像データに対する処理速度が速いため、解像度やフレームレートが高い表示や、３Ｄ表示などの高度な表示が行われる。
【００１９】
一方、受信レベルが閾値ＴＨ以下である場合には（ステップＳ１２のＹＥＳ）、ＣＰＵ１０３は、ＧＰＵ１０４をオフ状態、すなわちＧＰＵ１０４の動作を停止させる（ステップＳ１６）。このように、無線回路１０２の受信レベルが閾値ＴＨ以下であれば、ＣＰＵ１０３が表示装置１０５の動作を制御する。すなわち、表示装置１０５では、画像データに対する処理速度が落ちるため、解像度やフレームレートが低い表示や、少なくとも一部の３Ｄ表示を止めるなど制限された表示が行われる。このとき、ＧＰＵ１０４を動作させた場合に比べると、画像データに対する処理速度は落ちることになるが、輻射するノイズ量が減るため、通信品質は劣化しにくくなり、通信は切断されにくくなる。
【００２０】
次に、ＣＰＵ１０３は、無線回路１０２の受信レベルが閾値ＴＨより大であるか否かを判定する（ステップＳ１８）。そして、受信レベルが閾値ＴＨより大でない場合には（ステップＳ１８のＮＯ）、ＧＰＵ１０４をオフ状態、すなわちＧＰＵ１０４の停止状態を維持する（ステップＳ２０）。その後、ステップＳ１８に戻り、ＣＰＵ１０３は、上述した処理を繰り返す。すなわち、ＣＰＵ１０３は、一旦、ＧＰＵ１０４を停止させた場合、無線回路１０２の受信レベルが閾値ＴＨより大になるまでは、ＧＰＵ１０４の停止状態を維持する。ゆえに、表示装置１０５では、解像度やフレームレートが低い表示や、少なくとも一部の３Ｄ表示を止めるなど制限された表示が継続される。
【００２１】
一方、受信レベルが閾値ＴＨより大である場合には（ステップＳ１８のＹＥＳ）、ＣＰＵ１０３は、ＧＰＵ１０４をオン状態、すなわち、ＧＰＵ１０４を動作させる（ステップＳ２２）。すなわち、表示装置１０５では、ＧＰＵ１０４により、解像度やフレームレートが高い表示や、３Ｄ表示などの高度な表示が行われる。その後、ステップＳ１２に戻り、ＣＰＵ１０３は、上述した処理を繰り返す。すなわち、再度、受信レベルが閾値ＴＨ以下となるまでは、ＧＰＵ１０４のオン状態を維持する。ゆえに、表示装置１０５では、解像度やフレームレートが高い表示や、３Ｄ表示などの高度な表示が継続される。
【００２２】
図３は、本第１実施形態において、受信レベルの変化に応じたＧＰＵ１０４の動作を示すタイムチャートである。図３には、時間経過とともに受信レベルが下がり、また上がっていく場合の動作を示している。ＣＰＵ１０３は、受信レベルが閾値ＴＨより大である時刻ｔ１まではＧＰＵ１０４をオン状態とする。時間の経過とともに、受信レベルが下がり、閾値ＴＨ以下になった時刻ｔ１で、ＣＰＵ１０３は、ＧＰＵ１０４をオフ状態とし、動作を停止させる。さらに、時間が経過し、受信レベルが時刻ｔ２で閾値ＴＨより大となるまでは、ＣＰＵ１０３は、ＧＰＵ１０４のオフ状態を維持する。そして、受信レベルが閾値ＴＨより大となる時刻ｔ２以降で、ＣＰＵ１０３は、ＧＰＵ１０４をオン状態とする。
【００２３】
なお、上述した第１実施形態において、ＧＰＵ１０４の動作を完全に停止させるのではなく、電波の受信レベルに応じて、ＧＰＵ１０４の動作クロックの周波数を低くするようにしてもよい。このように、動作クロックの周波数を低くすることで、ノイズの輻射量をある程度軽減することでき、通信品質を保ちながら、画像データに対する処理速度の低下を抑えるという効果を得ることができる。
【００２４】
上述した第１実施形態によれば、無線回路１０２の受信レベルが閾値ＴＨ以下になったか否かを判定し、受信レベルが閾値ＴＨ以下なったと判定された場合、ＧＰＵ１０４の動作を停止するようにしたので、受信レベルが低い環境下であっても、ノイズの輻射量を減らし通信品質を向上させることができる。
【００２５】
また、上述した第１実施形態において、ＧＰＵ１０４の動作を完全に停止させるのではなく、電波の受信レベルに応じて、ＧＰＵ１０４の動作クロックの周波数を低くするようにしても、受信レベルが低い環境下であっても、ノイズの輻射量を減らし通信品質を向上させることができる。また、ＧＰＵ１０４の動作クロックの周波数を低くすることで、消費電流や発熱を削減することができる。
【００２６】
Ｂ．第２実施形態
次に、本発明の第２実施形態について説明する。
上述した第１実施形態では、シングルコアのＧＰＵ１０４を搭載した携帯電話１００の動作を説明したが、本第２実施形態では、２コア（デュアルコア）のＧＰＵを搭載した携帯電話２００について説明する。なお、２コア（デュアルコア）は、一例であり、４コア（クアッドコア）以上であってもよい。
【００２７】
図４は、本第２実施形態の携帯電話２００の構成を示すブロック図である。図４において、携帯電話２００は、アンテナ２０１、無線回路２０２、ＣＰＵ２０３、ＧＰＵ２０４、及び表示装置２０５を備えている。アンテナ２０１は、電波の送受信を行う。無線回路２０２は、受信波の復調や送信波の生成を行う。ＣＰＵ２０３は、無線回路２０２の動作や、ＧＰＵ２０４の動作、あるいはＧＰＵ２０４が動作していないときの表示装置２０５の動作などを制御する。ＧＰＵ２０４は、コア＃１とコア＃２と有する２コア（デュアルコア）の画像処理専用のプロセッサである。
【００２８】
本第２実施形態では、受信レベルを判別するために２つの閾値ＴＨ１、ＴＨ２（ＴＨ１＞ＴＨ２）を設定し、受信レベルが２つの閾値ＴＨ１、ＴＨ２に対してどのレベルにあるかで、ＣＰＵ２０３は、ＧＰＵ２０４のコア＃１、＃２のオン状態、オフ状態を制御する。表示装置１０５は、無線回路１０２の受信レベルに応じて、ＧＰＵ２０４のコア＃１、及びコア＃２の双方、またはいずれか一方、あるいはＣＰＵ１０３によって処理される画像を表示する。
【００２９】
図５は、本第２実施形態において、受信レベルの変化に応じたコア＃１、＃２の動作を示すタイムチャートである。図５には、図３と同様に、時間経過とともに受信レベルが下がり、また上がっていく場合の動作として、電波の受信レベルが下がっていくごとにＧＰＵ２０４の動作コア数を２→１→０と減らし、上がっていくごとにＧＰＵ２０４の動作コア数を０→１→２と増やしていく動作を示している。時間の経過とともに受信レベルが下がり、閾値ＴＨ１以下になった時刻ｔ１でコア＃１をオフ状態（停止）とし、閾値ＴＨ２以下になった時刻ｔ２でコア＃２をオフ状態（停止）とする。ＧＰＵ２０４の両方のコア＃１、＃２を停止させている、時刻ｔ２から時刻ｔ３までの期間は、ＣＰＵ２０３が表示装置２０５の動作を制御することになる。さらに、時間が経過し、受信レベルが閾値ＴＨ２より大になった時刻ｔ３でコア＃２をオン状態とし、受信レベルが閾値ＴＨ１より大になった時刻ｔ４でコア＃１をオン状態とする。
【００３０】
すなわち、ＣＰＵ２０３は、無線回路２０２での受信レベルが閾値ＴＨ１より大である場合には、ＧＰＵ２０４のコア＃１、＃２の双方をオン状態とする。このように、無線回路２０２の受信レベルがＴＨ１より大である場合には、ＧＰＵ２０４のコア＃１、＃２が表示装置２０５の動作を制御する。すなわち、表示装置２０５では、画像データに対する処理速度が速いため、解像度やフレームレートが高い表示や、３Ｄ表示などの高度な表示が行われる。
【００３１】
また、受信レベルが閾値ＴＨ１以下で、かつ閾値ＴＨ２より大である場合には、コア＃１をオフ状態とし、コア＃２をオン状態とする。この場合、ＧＰＵ２０４のコア＃２が表示装置２０５に表示する画像データに対する画像処理を実行する。すなわち、表示装置２０５では、画像データに対する処理速度が比較的遅くなるので、解像度やフレームレートがやや低い、やや高度な表示が行われる。このとき、ＧＰＵ２０４のコア＃１、＃２を動作させた場合に比べると、画像データに対する処理速度は落ちることになるが、輻射するノイズ量が減るため、通信品質は劣化しにくくなり、通信は切断されにくくなる。
【００３２】
さらに、受信レベルが閾値ＴＨ２以下になると、コア＃１、＃２の双方がオフ状態となる。この場合、ＣＰＵ２０３が表示装置２０５に表示する画像データに対する画像処理を実行する。すなわち、表示装置２０５では、画像データに対する処理速度が遅くなるので、解像度やフレームレートが低下した制限された表示となる。このとき、画像データに対する処理速度は、さらに落ちることになるが、輻射するノイズ量が大幅に減るため、通信品質は劣化しにくくなり、通信はより切断されにくくなる。
【００３３】
なお、上述した第２実施形態では、コア＃１→コア＃２の順番で動作を停止させているが、受信レベルを判定するごとに動作を停止させるコアを変更するようにしてもよい。すなわち、コア＃１→コア＃２、コア＃２→コア＃１、コア＃１→コア＃２、…と交互に停止させるコアを変更してもよい。さらに、前述した第１実施形態のシングルコアの場合と同様に、コア＃１、＃２の動作を停止させずに、一部のコアの動作クロックの周波数を下げるようにしてもよい。また、４コア（クアッドコア）、６コア（ヘキサコア）、８コア（オクタコア）、…とコア数が増えても、本発明を適用することができる。
【００３４】
上述した第２実施形態によれば、無線回路２０２の受信レベルが閾値ＴＨ１、ＴＨ２以下になったか否かを判定し、受信レベルに応じて、ＧＰＵ２０４のコア＃１、＃２を段階的に停止するようにしたので、受信レベルが低い環境下であっても、ノイズの輻射量を減らし通信品質を向上させることができる。
【００３５】
また、上述した第２実施形態において、ＧＰＵ２０４のコア＃１、＃２の動作を完全に停止させるのではなく、ＧＰＵ２０４のコア＃１、＃２を停止させずに、コア＃１、＃２の動作クロックの周波数を低下させるようにしても、受信レベルが低い環境下であっても、ノイズの輻射量を減らし通信品質を向上させることができる。
【００３６】
Ｃ．第３実施形態
次に、本発明の第３実施形態について説明する。
なお、本第３実施形態による携帯電話は、図１に示す携帯電話１００、または図４に示す携帯電話２００と同様の構成であるので説明を省略する。本第３実施形態では、受信レベルが低下した際に、ＧＰＵ１０４、２０４の機能を低下させる場合、該ＧＰＵ１０４、２０４の機能低下に合わせて、ＧＰＵ１０４、２０４が処理するデータ量を減らすようにしたことを特徴としている。例えば、受信レベルが低下した際、ＧＰＵ１０４、２０４の動作クロックの周波数を下げる場合に、該動作クロックの周波数の低下に合わせて、ＧＰＵ１０４、２０４が処理するデータ量を減らすようにしてもよい。一般に、画像処理に必要な演算量は、処理対象となる画像の大きさ（画素数＝データ量）に比例する。そこで、例えば、動画を表示している場合には、ＧＰＵ１０４、２０４の動作クロックの周波数低下に合わせて動画のサイズを小さくすることでデータ量を減らし、画像処理に必要な演算量を減らす。これにより、画像データに対する処理速度や、フレームレートの低下を抑えることが可能となる。
【００３７】
また、前述した第２実施形態のように、複数のコアを備えるマルチコアＧＰＵ２０４の場合には、通常、例えば、４コアで動画を表示し、受信レベルが低下し、１コアだけオン状態として他のコアを停止した場合（あるいは、動作周波数を１／４に低下した場合）には、動画の大きさ（縦横の長さ）を半分（面積で１／４）にする。この場合も、画像データに対する処理速度や、フレームレートの低下を抑えることが可能となる。
【００３８】
上述した第３実施形態によれば、受信レベルが低下した際に、ＧＰＵ１０４、２０４の機能を低下させる場合、該ＧＰＵ１０４、２０４の機能低下に合わせて、ＧＰＵ１０４、２０４が処理するデータ量を減らすようにしたので、画像データに対する処理速度や、フレームレートの低下を抑えることができるとともに、受信レベルが低い環境下であっても、ノイズの輻射量を減らし通信品質を向上させることができる。
【００３９】
なお、本発明の実施形態では、端末装置として携帯電話に適用した例であるが、携帯電話・スマートフォンに限らず、他の装置（例えば、ゲーム機、タブレットＰＣ（Ｐｅｒｓｏｎａｌ  Ｃｏｍｐｕｔｅｒ）、ノートＰＣ、ＰＤＡ（Ｐｅｒｓｏｎａｌ  Ｄａｔａ  Ａｓｓｉｓｔａｎｔｓ：携帯情報端末）にも適用することができる。
【００４０】
以下、本発明の特徴を付記する。
上記の実施形態の一部又は全部は、以下の付記のようにも記載されうるが、以下には限られない。
（付記１）
図６は、付記１の構成図である。ここで、図６と図１との対応について説明する。図６に示す通信部３０１は、図１の無線回路１０２に相当し、図６の画像処理部３０２は、図１のＧＰＵ１０４に相当する。また、図６の判別部３０３、及び制限部３０４は、図１のＣＰＵ１０３に相当する。
【００４１】
この図に示すように、付記１記載の発明は、
他の装置と通信する通信部３０１と、
表示用の画像データを処理する画像処理部３０２と、
前記通信部３０１の通信状態が所定の状態より低下したか否かを判定する判定部３０３と、
前記判定部３０３により前記通信状態が所定の状態より低下したと判定された場合、前記画像処理部３０２の少なくとも一部の動作を制限する制限部３０４と
を備えることを特徴とする通信装置で３００ある。
【００４２】
（付記２）
前記制限部は、前記判定部により前記通信状態が所定の状態より低下したと判定された場合、前記画像処理部の動作を停止させることを特徴とする付記１に記載の通信装置である。
【００４３】
（付記３）
前記制限部は、前記判定部により前記通信状態が所定の状態より低下したと判定された場合、前記画像処理部の動作クロックの周波数を低下させることを特徴とする付記１に記載の通信装置である。
【００４４】
（付記４）
前記画像処理部は、独立して動作可能な複数のコアを備え、前記制限部は、前記判定部により前記通信状態が所定の状態より低下したと判定された場合、動作するコア数を制限することを特徴とする付記１に記載の通信装置である。
【００４５】
（付記５）
前記制限部は、前記判定部により前記通信状態が所定の状態より低下したと判定された場合、前記複数のコアの動作クロックの周波数を低下させることを特徴とする付記４に記載の通信装置である。
【００４６】
（付記６）
前記制限部は、前記判定部により前記通信状態が所定の状態より低下したと判定された場合、前記画像処理部による処理能力に応じて、前記画像処理部によって処理される処理データ量を減少させることを特徴とする付記１から５のいずれかに記載の通信装置である。
【００４７】
（付記７）
他の装置と通信するステップと、表示用の画像データを画像処理するステップと、前記通信状態が所定の状態より低下したか否かを判定するステップと、前記通信状態が所定の状態より低下したと判定された場合、前記画像処理の少なくとも一部の機能を制限するステップとを含むことを特徴とする制御方法である。
【００４８】
（付記８）
コンピュータに、他の装置と通信する通信機能、表示用の画像データを処理する画像処理機能、前記通信機能の通信状態が所定の状態より低下したか否かを判定する判定機能、前記判定機能により前記通信状態が所定の状態より低下したと判定された場合、前記画像処理機能の少なくとも一部の動作を制限する制限機能を実行させることを特徴とするプログラムである。
【符号の説明】
【００４９】
１００、２００  携帯電話
１０１、２０１  アンテナ
１０２、２０２  無線回路
１０３、２０３  ＣＰＵ
１０４、２０４  ＧＰＵ
２０４ａ、２０４ｂ  コア
１０５、２０５  表示装置
【図１】
2014130447.tif 000003
【図２】
2014130447.tif 000004
【図３】
2014130447.tif 000005
【図４】
2014130447.tif 000006
【図５】
2014130447.tif 000007
【図６】
2014130447.tif 000008